(57)【要約】【課題】複数の記録媒体にまたがって記録された動画を再生する際に、簡単に、先頭から動画を再生可能にする。【解決手段】記録再生装置において、記録開始の指示があったときに、記録先として選択された記録媒体が再生対象の記録媒体として設定されて管理される。その後、再生モードにおいてインデックス画面の表示指示が出力された場合、再生対象の記録媒体に関する情報を参照し、適切に選択された再生対象の記録媒体のインデックス画面が最初に表示される。これにより、記録開始時に選択された記録媒体が再生対象となるので、リレー記録後でも直前の記録開始時の記録媒体を選択してシーンの先頭から簡単に再生を行うことができる。【選択図】図１
2014096731.tif 000002
【特許請求の範囲】
【請求項１】
複数の記録媒体のうち記録先として選択された記録媒体に動画データを記録し、前記複数の記録媒体のうち再生対象として選択された記録媒体から動画データを再生する記録再生手段と、
複数のインデックス画面のうち、いずれか１つのインデックス画面を、該インデックス画面の表示指示に応じて表示装置に表示する表示手段と、
記録開始の指示に応じて動画データの記録を開始し、記録停止の指示に応じて動画データの記録を停止するように前記記録再生手段を制御する制御手段と
を備え、
前記複数のインデックス画面はそれぞれ前記複数の記録媒体のいずれかに対応し、かつ、対応する記録媒体に記録されている１つ以上の動画データの代表画像を含み、
前記制御手段は、
前記記録開始の指示による動画データの記録中に、記録先として選択された記録媒体の記録残量が閾値量よりも少なくなったことに応じて、前記記録先として選択された記録媒体への前記動画データの記録を停止して、前記複数の記録媒体のうちの他の記録媒体を記録先として選択し、前記他の記録媒体に引き続き前記動画データを記録するように前記記録再生手段を制御し、
前記記録開始の指示による記録開始時に記録先として選択されていた記録媒体と、前記記録停止の指示による記録停止時に記録先として選択されていた記録媒体とが異なっている場合、前記インデックス画面の表示指示に応じて、前記記録開始時に記録先として選択されていた記録媒体のインデックス画面を表示するように前記表示手段を制御する
ことを特徴とする記録再生装置。
【請求項２】
前記制御手段は、前記記録開始の指示が出力された際に記録先として選択した記録媒体を前記再生対象の記録媒体として予め選択しておき、前記インデックス画面の表示指示に応じて前記インデックス画面を表示する場合に、当該予め選択した再生対象の記録媒体に対応するインデックス画面を表示するように前記表示手段を制御することを特徴とする請求項１に記載の記録再生装置。
【請求項３】
前記表示手段に前記インデックス画面が表示されていない状態で、前記動画データの再生指示がなされた場合、前記制御手段は、前記再生対象の記録媒体に記録された複数の動画データのうち、最後に記録された動画データを再生するように前記記録再生手段を制御することを特徴とする請求項２に記載の記録再生装置。
【請求項４】
前記制御手段は、前記再生対象の記録媒体に記録された複数の動画データのうち、最後に記録された動画データが選択された状態の前記インデックス画面を表示するように前記表示手段を制御することを特徴とする請求項２または３に記載の記録再生装置。
【請求項５】
前記制御手段は、前記記録再生手段が前記他の記録媒体に引き続き行った前記動画データの記録が停止した後に、該他の記録媒体の前に前記動画データの記録が行われていた前記記録開始時に記録先として選択された記録媒体が前記記録再生装置から取り外されたことを検知した場合、前記インデックス画面の表示指示に応じて前記他の記録媒体のインデックス画面を表示するように前記表示手段を制御することを特徴とする請求項１乃至４のいずれか１項に記載の記録再生装置。
【請求項６】
複数の記録媒体のうち記録先として選択された記録媒体に動画データを記録し、前記複数の記録媒体のうち再生対象として選択された記録媒体から動画データを再生する記録再生手段と、
複数のインデックス画面のうち、いずれか１つのインデックス画面を、該インデックス画面の表示指示に応じて表示装置に表示する表示手段と、
記録開始の指示に応じて動画データの記録を開始し、記録停止の指示に応じて動画データの記録を停止するように前記記録再生手段を制御する制御手段と
を備える記録再生装置の制御方法であって、
前記複数のインデックス画面はそれぞれ前記複数の記録媒体のいずれかに対応し、かつ、対応する記録媒体に記録されている１つ以上の動画データの代表画像を含み、
前記方法は、前記制御手段が、
前記記録開始の指示による動画データの記録中に、記録先として選択された記録媒体の記録残量が閾値量よりも少なくなったことに応じて、前記記録先として選択された記録媒体への前記動画データの記録を停止して、前記複数の記録媒体のうちの他の記録媒体を記録先として選択し、前記他の記録媒体に引き続き前記動画データを記録するように前記記録再生手段を制御する工程と、
前記記録開始の指示による記録開始時に記録先として選択されていた記録媒体と、前記記録停止の指示による記録停止時に記録先として選択されていた記録媒体とが異なっている場合、前記インデックス画面の表示指示に応じて、前記記録開始時に記録先として選択されていた記録媒体のインデックス画面を表示するように前記表示手段を制御する工程と
を備えることを特徴とする記録再生装置の制御方法。
【請求項７】
記録再生装置を動作させるためのコンピュータプログラムであって、
前記記録再生装置は、
複数の記録媒体のうち記録先として選択された記録媒体に動画データを記録し、前記複数の記録媒体のうち再生対象として選択された記録媒体から動画データを再生する記録再生手段と、
複数のインデックス画面のうち、いずれか１つのインデックス画面を、該インデックス画面の表示指示に応じて表示装置に表示する表示手段と、
記録開始の指示に応じて動画データの記録を開始し、記録停止の指示に応じて動画データの記録を停止するように前記記録再生手段を制御する制御手段と
を備え、
前記複数のインデックス画面はそれぞれ前記複数の記録媒体のいずれかに対応し、かつ、対応する記録媒体に記録されている１つ以上の動画データの代表画像を含み、
前記コンピュータプログラムは、前記制御手段に、
前記記録開始の指示による動画データの記録中に、記録先として選択された記録媒体の記録残量が閾値量よりも少なくなったことに応じて、前記記録先として選択された記録媒体への前記動画データの記録を停止して、前記複数の記録媒体のうちの他の記録媒体を記録先として選択し、前記他の記録媒体に引き続き前記動画データを記録するように前記記録再生手段を制御させ、
前記記録開始の指示による記録開始時に記録先として選択されていた記録媒体と、前記記録停止の指示による記録停止時に記録先として選択されていた記録媒体とが異なっている場合、前記インデックス画面の表示指示に応じて、前記記録開始時に記録先として選択されていた記録媒体のインデックス画面を表示するように前記表示手段を制御させる
ことを特徴とするコンピュータプログラム。
【発明の詳細な説明】
【技術分野】
【０００１】
本発明は記録再生装置、記録再生装置の制御方法、及び、コンピュータプログラムに関し、特に、複数の記録媒体に対して動画を記録し、再生する技術に関する。
【背景技術】
【０００２】
動画や音声を記録する装置としてビデオカメラが知られている。近年では、メモリカードやＨＤＤなどのランダムアクセス、且つ、大容量の記録媒体に対して動画や音声を記録する家庭用のビデオカメラが登場しており、一般家庭に広く普及している。このようなビデオカメラでは、記録媒体に記録された動画を再生する際、記録された画像のインデックス画面を表示し、インデックス画面に表示された代表画像のうち、選択された代表画像に対応した動画を再生することができる。  また、複数の記録媒体に対して動画や音声を記録するビデオカメラも登場している。このような複数の記録媒体に対して動画を記録する装置では、動画の記録中に記録媒体の残量が不足すると、他の記録媒体に自動的に切り替えて記録を続ける機能（以下、リレー記録機能）を持つものがある（特許文献１参照）。
【先行技術文献】
【特許文献】
【０００３】
【特許文献１】特開２０１１−１３５３５２号
【発明の概要】
【発明が解決しようとする課題】
【０００４】
複数の記録媒体に記録が可能なビデオカメラで動画を再生する場合、複数の記録媒体のうち、記録終了時に記録先として選択されていた記録媒体に記録された動画のインデックス画面を表示することになる。その際、リレー記録機能により複数の記録媒体に跨がって記録されたシーンを先頭から再生したい場合、ユーザは、記録開始時に記録先として選択されていた記録媒体を選択する必要があり、使い勝手が悪いものであった。
【０００５】
本発明は前述の問題点に鑑み、複数の記録媒体にまたがって記録された動画を再生する際に、簡単に、先頭から動画を再生可能にすることを目的とする。
【課題を解決するための手段】
【０００６】
上記課題を解決するための本発明は、
複数の記録媒体のうち記録先として選択された記録媒体に動画データを記録し、前記複数の記録媒体のうち再生対象として選択された記録媒体から動画データを再生する記録再生手段と、
複数のインデックス画面のうち、いずれか１つのインデックス画面を、該インデックス画面の表示指示に応じて表示装置に表示する表示手段と、
記録開始の指示に応じて動画データの記録を開始し、記録停止の指示に応じて動画データの記録を停止するように前記記録再生手段を制御する制御手段と
を備え、
前記複数のインデックス画面はそれぞれ前記複数の記録媒体のいずれかに対応し、かつ、対応する記録媒体に記録されている１つ以上の動画データの代表画像を含み、
前記制御手段は、
前記記録開始の指示による動画データの記録中に、記録先として選択された記録媒体の記録残量が閾値量よりも少なくなったことに応じて、前記記録先として選択された記録媒体への前記動画データの記録を停止して、前記複数の記録媒体のうちの他の記録媒体を記録先として選択し、前記他の記録媒体に引き続き前記動画データを記録するように前記記録再生手段を制御し、
前記記録開始の指示による記録開始時に記録先として選択されていた記録媒体と、前記記録停止の指示による記録停止時に記録先として選択されていた記録媒体とが異なっている場合、前記インデックス画面の表示指示に応じて、前記記録開始時に記録先として選択されていた記録媒体のインデックス画面を表示するように前記表示手段を制御する。
【発明の効果】
【０００７】
複数の記録媒体にまたがって記録された動画を再生する際に、簡単に、先頭から動画を再生することができる。
【図面の簡単な説明】
【０００８】
【図１】発明の実施形態に係る記録再生装置の構成例を示すブロック図である。
【図２】発明の実施形態に係る記録処理の一例を示すフローチャートである。
【図３】発明の実施形態に係る再生処理の一例を示すフローチャートである。
【図４】発明の実施形態に係る記録媒体に記録されるファイルの状態の一例を示す図である。
【図５】発明の実施形態に係るインデックス画面の一例を示す図である。
【図６】発明の実施形態に係るメモリ１０５内に記憶された記録先の記録媒体及び再生対象の記録媒体の情報の一例を示す図である。
【図７】発明の第３の実施形態に係る記録媒体の変更手順の一例を示すフローチャートである。
【発明を実施するための形態】
【０００９】
以下、発明の実施形態について図面を参照しながら説明する。
【００１０】
（第１の実施形態）
図１は、本実施形態に係る記録再生装置１００の構成例を示すブロック図である。この記録再生装置１００において、撮像素子や表示素子等の物理的デバイスを除き、各ブロックは専用ロジック回路やメモリを用いてハードウェア的に構成されてもよい。或いは、メモリに記憶されている処理プログラムをＣＰＵ等のコンピュータが実行することにより、ソフトウェア的に構成されてもよい。
【００１１】
図１において、入力部１０１は、動画信号や音声信号を取得して出力する。本実施形態では、入力部１０１は記録再生装置１００の外部から供給された動画信号や音声信号を入力するが、入力部１０１を撮像部やマイクロフォンを含む構成とし、撮影された動画やマイクにより音声信号を取得する構成としてもよい。
【００１２】
制御部１０２は、操作部１０３からの入力に応じて記録再生装置１００の動作全体を制御する。制御部１０２はマイクロコンピュータやメモリ等を含み、メモリに記憶されたプログラムに従って記録再生装置１００を制御する。また、制御部１０２は、記録再生部１０６との間でデータやコマンドを通信するための記録媒体インターフェイス（ＩＦ）を内蔵している。操作部１０３は、ユーザにより操作可能な各種のスイッチを含む。そして、操作部１０３は、ユーザによる各種の指示などを受理して制御部１０２へ通知する。操作部１０３は、電源スイッチや記録の開始、停止を指示するためのスイッチ、記録再生装置１００のモードを切り替えるためのスイッチ等を含む。
【００１３】
信号処理部１０４は、記録時においては、入力部１０１により入力された動画信号や音声信号をＭＰＥＧ等の公知の符号化形式に従って符号化して、その情報量を圧縮する。また、動画信号や音声信号の記録のために必要な処理を施す。また、信号処理部１０４は、再生時においては、再生された動画信号や音声信号を復号し、その情報量を伸張する。また、信号処理部１０４は、記録時において、符号化された動画信号や音声信号の符号量（データ量）の情報を制御部１０２に出力する。
【００１４】
メモリ１０５は、動画信号や音声信号を記憶する。記録再生装置１００の各ブロックは、メモリ１０５に対してアクセスすることにより、必要な動画信号や音声信号を処理する。また、メモリ１０５は、動画信号や音声信号の他に、ファイルシステムの情報や、管理情報など、各種の情報を記憶し、更に、制御部１０２による制御のためのワークメモリ等の役割を果たす。
【００１５】
記録再生部１０６は、記録媒体１０８、１０９に対し、動画信号や音声信号、或いは、各種の情報を記録し、再生する。記録再生部１０６は、記録時においては、メモリ１０５に蓄積された動画データや音声データを記録媒体１０８と記録媒体１０９のうち、記録先として選択された方の記録媒体に記録する。また、記録再生部１０６は、再生時においては、記録媒体１０８や記録媒体１０９のうちの一方から動画データや音声データを再生し、メモリ１０５に記憶する。
【００１６】
本実施形態では、記録媒体１０８、１０９は互いに独立した、別の記録媒体として構成され、ハードディスク（ＨＤＤ）、フラッシュメモリカード等、ランダムアクセスの記録媒体である。また、記録再生部１０６は、記録媒体１０８、１０９に記録する動画、音声データや、各種の情報を、ＦＡＴ（File Allocation Table）等のファイルシステムに従い、ファイルとして管理する。また、記録再生部１０６は、ＡＴＡ等の公知のインターフェイス（ＩＦ）を有し、制御部１０２における記録媒体ＩＦとの間でデータや各種のコマンドを通信する。また、記録媒体１０８、１０９は、不図示の記録媒体装着、排出機構により、記録再生装置１００に対して容易に装着、排出することができるように構成するが、記録再生装置１００に各記録媒体１０８、１０９或いは何れか一方が内蔵される構成でもよい。記録再生部１０６は、後述の様に、記録媒体１０８、１０９に対するデータの記録中における状態を検出して、制御部１０２に知らせる。図１では記録媒体の個数が２の場合を示しているが、個数は３以上であってもよい。
【００１７】
制御部１０２は、記録媒体１０８、１０９に対してデータ（ファイル）の書き込み、読み出しを行う場合、記録再生部１０６を制御して、記録媒体１０８、１０９から、ファイルシステムデータ（管理データ）を再生してメモリ１０５に記憶する。このファイルシステムデータは、記録媒体１０８、１０９に記録されたデータのファイル名やファイルのサイズ、データの記録アドレスなどを示すデータであり、ファイルを管理するための管理情報である。また、制御部１０２は、このファイルシステムデータに基づいて、記録媒体１０８、１０９における未記録領域、及び、記録残量を検出する。そして、制御部１０２は、読み出したファイルシステムデータに従ってファイルの書き込み、読み出しを制御する。制御部１０２は、記録媒体１０８、１０９へのファイルの書き込みに応じて、メモリ１０５に記憶されたファイルシステムデータを更新する。そして、更新したファイルシステムデータを、記録再生部１０６により記録媒体１０８、１０９に記録する。
【００１８】
また、ユーザは、操作部１０３を操作することにより、記録再生装置１００の動作モードの切り替え、あるいは、動画データの記録開始、停止などを指示することができる。また、本実施形態では、二つの記録媒体１０８、１０９が装着されている場合、ユーザは、操作部１０３を操作して、一方の記録媒体を記録先として任意に選択し、この選択した方の記録媒体に対して動画データを記録する。更に、本実施形態では、動画の記録中に記録残量が少なくなった場合、自動的に記録先を他方の記録媒体に切り替え、引き続き動画の記録を継続する、リレー記録機能を持つ。
【００１９】
また、出力部１０７は、再生された動画データや音声データを記録再生装置１００の外部の表示装置などに出力する。表示部１１０は、動画や各種の情報を液晶パネル等の表示装置に表示する。データバス１１１は、記録再生装置１００の各部の間でデータや各種の制御コマンドなどを送受信するために用いられる。
【００２０】
＜記録モード時の処理＞
次に、図２を参照しながら本実施形態における記録動作について説明する。図２は、記録処理手順の一例を示すフローチャートである。なお、図２に示す各処理は、制御部１０２の制御に基づいて行われる。該フローチャートに対応する処理は、例えば、制御部１０２として機能するＣＰＵ又はプロセッサが対応するプログラム（例えば、メモリ１０５に格納）を実行することにより実現できる。また、以下の実施形態では、動画の処理について説明するが、動画と共に入力された音声も記録するものとする。
【００２１】
まず、操作部１０３から記録モードへ移行する指示を受けると、Ｓ２０１で記録再生装置１００を記録待機状態に遷移し、記録開始の指示を待つ。記録待機状態では、入力部１０１により入力された動画信号に係る動画が表示部１１０に表示されている。記録待機状態は、少なくとも、入力された動画信号をユーザからの記録開始指示に応じて記録媒体に記録可能な状態のことをいう。また、記録待機状態において、制御部１０２は、Ｓ２０２において記録媒体１０８、１０９のうち、記録先の記録媒体を選択し、記録先として選択した記録媒体の情報を内部のメモリ１０５に記憶する。前述のように、ユーザは、操作部１０３を操作することにより、記録媒体１０８と１０９の何れかを、記録先の記録媒体として設定することが可能である。なお、以下では、記録媒体１０８が選択された場合を例として説明する。
【００２２】
記録待機状態において制御部１０２は、Ｓ２０３で操作部１０３から記録開始の指示が入力されたか否かを判定する。もし記録開始の指示が入力された場合（Ｓ２０３でＹＥＳ）は、Ｓ２０４に移行する。一方、記録開始指示が入力されない場合はＳ２１５に移行する。制御部１０２は、Ｓ２０４において、現在、記録先として選択されている記録媒体１０８を、再生対象の記録媒体として設定し、内部のメモリ１０５に記憶する。
【００２３】
Ｓ２０２及びＳ２０４においてメモリ１０５内に記憶された記録先の記録媒体及び再生対象の記録媒体の情報を記憶したテーブルの一例を図６に示す。図６のテーブル６００には記録先の記録媒体６０１と再生対象の記録媒体６０２のそれぞれにつき記録媒体の情報が登録される。登録される情報は、記録媒体を識別する情報であればどのような情報であっても良い。図６（Ａ）は、記録開始指示の入力時に記憶された情報の一例である。このとき、記録先及び再生対象の記録媒体は、共に記録媒体１０８となっている。
【００２４】
次に、Ｓ２０５において、制御部１０２は、入力部１０１より入力されメモリ１０５に記憶された動画信号の、信号処理部１０４による符号化を行わせる。信号処理部１０４が符号化したデータ（符号化データ）は、メモリ１０５に記憶される。
【００２５】
本実施形態では、信号処理部１０４により符号化されたデータのデータレートは、記録媒体１０８、１０９に対して記録可能なデータレートよりも低い。そのため、本実施形態では、符号化データを一旦メモリ１０５に記憶する。そして、メモリ１０５に記憶された符号化データのデータ量が第１の所定量に達する毎に、記録再生部１０６は、メモリ１０５から符号化データを読み出して記録する。そして、メモリ１０５に記憶された符号化データが第２の所定量（＜第１の所定量）まで減少した時点でメモリ１０５からの符号化データの読み出しを一時停止し、記録媒体に対する記録処理を中断する。このような処理を繰り返すことで、記録媒体への書き込みを行う。
【００２６】
そして、制御部１０２は、記録媒体に対する１回の書き込みが完了する度に、今回書き込まれた符号化データの記録位置などに基づいて、メモリ１０５に記憶されたファイルシステムデータ（管理情報）を更新する。そして、制御部１０２は、記録再生部１０６を制御して、更新されたファイルシステムデータをメモリ１０５から読み出して、記録媒体に記録する。
【００２７】
具体的に記録媒体への書き込みについて説明すると、制御部１０２は、Ｓ２０６において記録再生部１０６を制御し、記録先として選択された記録媒体１０８に対し、新規に符号化データを記録するファイルを作成して開く。そして、Ｓ２０７においてこのファイルに対して符号化データを記録する。記録を開始した後、制御部１０２は、Ｓ２０８で操作部１０３より記録停止の指示が出力されたか否かを判別する。もし記録停止の指示が出力された場合（Ｓ２０８で「ＹＥＳ」）、制御部１０２は、Ｓ２１３に移行する。Ｓ２１３では、制御部１０２は記録再生部１０６を制御して、記録中のファイルをクローズして動画の記録を停止する。そして、制御部１０２は、Ｓ２１４において信号処理部１０４による動画信号の符号化を停止させる。
【００２８】
一方、記録停止の指示が無い場合（Ｓ２０８で「ＮＯ」）、制御部１０２は、記録再生部１０６からの情報により、記録先として選択されている記録媒体１０８の記録残量を検出する。そして、制御部１０２は、Ｓ２０９において記録残量が閾値量以上であるか否かを判別する。この結果、記録残量が閾値量以上である場合（Ｓ２０９において「ＹＥＳ」）は、Ｓ２０７に戻り、動画の符号化と、記録処理を継続する。また、記録残量が閾値量よりも少ない場合（Ｓ２０９において「ＮＯ」）、制御部１０２は、Ｓ２１０にて記録再生部１０６を制御して、記録中のファイルをクローズし、現在、記録先として選択されている記録媒体１０８への動画の記録を停止する。また、制御部１０２は、Ｓ２１１において、記録先として現在選択されている記録媒体１０８とは別の記録媒体１０９に記録残量が閾値量以上残っているか否かを判定する。判定の結果、他の記録媒体１０９の残量も閾値量より少ない場合（Ｓ２１１で「ＮＯ」）には、Ｓ２１４に移行する。Ｓ２１４では、これ以上の記録はできないので、制御部１０２は、信号処理部１０４による動画信号の符号化を停止させる。
【００２９】
また、他の記録媒体１０９の残量が残っている場合（Ｓ２１１で「ＹＥＳ」）、制御部１０２は、Ｓ２１２で記録媒体１０９を記録先として変更する。このとき、制御部１０２により、メモリ１０５内のテーブル６００に記憶された記録先の記録媒体の情報が更新される。例えば、図６（Ｂ）に示すように、記録先の記録媒体６０１が、記録媒体１０８から記録媒体１０９に変更される。このとき、再生対象の記録媒体６０２については記録媒体１０８のままで変更されない。これにより、記録終了後に再生を行う場合に、記録終了時の記録先となっている記録媒体がいずれであっても、再生対象の記録媒体を適切に選択できる。そしてＳ２０６に戻って、制御部１０２は、記録再生部１０６を制御し、記録先として選択された記録媒体１０９に対し、新規に符号化データを記録するファイルを作成し、引き続いて動画を記録する。
【００３０】
Ｓ２１４で動画の符号化を停止した後、制御部１０２は、Ｓ２１５において操作部１０３よりモード切り替えの指示が出力されたか否かを判定する。もし他のモード（電源オフ、再生モード）への切り替え指示があった場合（Ｓ２１５で「ＹＥＳ」）、制御部１０２は、記録モードの処理を終了する。一方、切り替え指示が無かった場合（Ｓ２１５で「ＮＯ」）、Ｓ２０１に戻って処理を継続する。
【００３１】
以上の処理により各記録媒体１０８、１０９に記録された動画データの例を、図４を参照して説明する。なお、本実施形態では、ユーザによる記録開始の指示から、記録停止の指示までの間に記録された動画を「シーン」と呼ぶ。仮に、リレー記録が行われない場合には、１つのシーンで１つの動画データが生成されることになるが、リレー記録が行われる場合には、本来１つの動画データが、２つの記録媒体１０８及び１０９にまたがって生成されることとなる。
【００３２】
図４において、ファイル４０１からファイル４０４は記録媒体１０８に記録された動画データ１から動画データ４であり、ファイル４０５は記録媒体１０９に記録された動画データ５である。また、ファイル４０１からファイル４０３はそれぞれ一つのシーンに対応しており、ファイルとシーンの対応関係は１対１である。これに対し、シーン４については、このシーン４の記録中に、記録媒体１０８の記録残量が不足したため、記録媒体１０９に対してリレー記録機能により引き続いて動画の記録が行われている。そのため、シーン４に対応する動画データは、ファイル４０４とファイル４０５であり、シーンとファイルの対応関係は１対２である。
【００３３】
次に、再生モードにおけるインデックス画面について説明する。制御部１０２は、再生モードへの切り替え指示等、インデックス画面の表示指示が出力された場合、記録再生部１０６に対し、記録媒体１０８、１０９のうち、再生対象として選択された一方の記録媒体（上記の例では記録媒体１０８）に記録された複数のシーンを検出する。そして、記録再生部１０６は、各シーンの動画データの先頭部分を再生し、その一画面を信号処理部１０４により復号して、メモリ１０５に記憶する。なお、先頭部分は、シーンの開始部分であっても良いし、開始後所定時間経過後の部分であっても良い。そして、信号処理部１０４により、復号された先頭画面の画像信号を縮小し、各シーンの代表画像を生成し、複数のシーンの代表画像を含むインデックス画面を生成し、表示部１１０に表示する。
【００３４】
図５は、各記録媒体１０８、１０９に、図４の様に動画データが記録されていた場合に表示されるインデックス画面を示す図である。図５（ａ）は、記録媒体１０８のインデックス画面を示し、図５（ｂ）は、記録媒体１０９のインデックス画面を示す。
【００３５】
図５（ａ）において、表示画面５０１には、記録媒体Ａ（１０８）を選択するためのタブ５０２と、記録媒体Ｂ（１０９）を選択するためのタブ５０３が表示される。表示画面５０１において各動画データは、該動画データから抽出された代表画像５０４により選択可能にアイコン表示される。そして、動画データの選択はカーソル５０５を用いて行うことができる。本実施形態では、当該カーソル５０５を代表画像５０４を囲む枠として表しており、このカーソル５０５の位置により動画データの選択状態が示される。ユーザは操作部１０３を操作して、この枠としてのカーソル５０５を代表画像５０４間で移動させることにより、再生対象の任意の動画データを選択することができる。いずれかの動画データが選択された状態で操作部１０３を操作することにより、ユーザは再生指示を行うことができる。
【００３６】
また、図５（ｂ）も、基本的に図５（ａ）と同様の表示形態で表示が行われるところ、ここでは、記録媒体Ｂ（１０９）のタブ５０３が選択されている。即ち、記録媒体Ｂ（１０９）に記録されている動画データ４０５の代表画像５０４と、カーソル５０５が表示される。
【００３７】
ユーザは、操作部１０３を操作してタブ５０２と５０３の何れかを選択することにより、再生対象の記録媒体を選択することができる。そして、複数の記録媒体１０８、１０９のうち、何れか一方の、選択された再生対象の記録媒体の代表画像が表示画面５０１上に表示される。
【００３８】
なお、本実施形態では、各記録媒体に記録された各動画データの先頭画面を再生、復号することにより代表画像を生成したが、代表画像の生成方法はこれに限らない。例えば、記録時に、各動画データの先頭画面から静止画を代表画像として予め生成し、動画データの一部（例えば、ヘッダー領域）に格納して記録する構成としてもよい。この場合、各動画データに格納された代表画像を読み出すことにより、インデックス画面を表示する。また、１つシーンが分割されて記録媒体１０８と１０９とにまたがって記録される場合は、図２のＳ２０７で新たな記録媒体１０９での記録が開始される場合に、記録媒体１０９用の代表画像が改めて生成されてもよい。
【００３９】
＜再生モード時の処理＞
次に、再生モード時の処理を説明する。図３は再生モード時の処理を示すフローチャートである。なお、図３の処理は、制御部１０２が各部を制御することにより実行される。該フローチャートに対応する処理は、例えば、制御部１０２として機能するＣＰＵ又はプロセッサが対応するプログラム（例えば、メモリ１０５に格納）を実行することにより実現できる。
【００４０】
操作部１０３により再生モードの切り替え指示が出力された場合、制御部１０２は、Ｓ３０１において記録媒体１０８、１０９のうち、再生対象の記録媒体を選択する。例えば、図２に示す記録モードから再生モードに切り替えられた場合、Ｓ２０４において再生対象として予め設定された記録媒体が、そのまま再生対象の記録媒体として設定される。即ち、記録モードにおいて、記録開始の指示に応じて再生対象として選択された記録媒体が、再生対象の記録媒体として設定される。なお、本実施形態では、図６に例示するように記録先の記録媒体と再生対象の記録媒体とをそれぞれ独立にメモリ１０５内のテーブル６００で管理し、記録開始時に記録先となった記録媒体を再生対象として予め設定する（Ｓ２０２及びＳ２０４）。よって、記録先の記録媒体がリレー記録により変更された場合（Ｓ２１２）であっても、記録開始時に記録先となっていた記録媒体を再生対象の記録媒体として選択することができる。
【００４１】
次に、制御部１０２は、Ｓ３０２で再生対象の記録媒体のインデックス画面を表示するように、各部を制御する。表示部１１０には、再生対象の記録媒体のインデックス画面が表示される。ユーザは、操作部１０３を操作して、インデックス画面に表示された代表画像から所望の代表画像を選択し、再生指示を行うことができる。制御部１０２は、Ｓ３０３で再生指示を受け付けたか否かを判定し、受け付けた場合（Ｓ３０３で「ＹＥＳ」）、Ｓ３０４に移行する。Ｓ３０４では、選択された代表画像に対応する動画データを再生するように、記録再生部１０６を制御する。記録再生部１０６は、指定された動画データを記録媒体から再生する。信号処理部１０４は、再生された動画データを復号し、インデックス画面に代えて表示部１１０に表示すると共に、出力部１０７より外部に出力する。再生開始後、制御部１０２は、Ｓ３０５で再生停止の条件が満たされたか否かを判定する。具体的に、操作部１０３より再生停止の指示が出力されたか、或いは、再生中の動画データを最後まで再生したかを判定し、当該再生停止の条件が満たされるまで動画ファイルの再生を続ける。操作部１０３より再生停止の指示が出力されるか、或いは、再生中の動画データを最後まで再生した場合（Ｓ３０５で「ＹＥＳ」）、制御部１０２は、Ｓ３０２に戻って再生された動画からインデックス画面に切り替え、表示部１１０に表示する。
【００４２】
また、Ｓ３０２でインデックス画面を表示した状態で再生指示がなされなかった場合（Ｓ３０３で「ＮＯ」）、Ｓ３０６に移行して制御部は再生対象の記録媒体の変更指示が出力されたか否かを判定する。もし、当該変更指示が出された場合（Ｓ３０６で「ＹＥＳ」）、制御部１０２は、Ｓ３０８で再生対象の記録媒体を変更し、表示部１１０に表示されるインデックス画面を切り替えるように各部を制御する。例えば、図５（ａ）のインデックス画面を表示している状態で、タブ５０３が選択された場合、再生対象を記録媒体Ｂに変更し、記録媒体Ｂのインデックス画面に切り替える。
【００４３】
また、再生対象の記録媒体の変更指示が出力されなかった場合（Ｓ３０６で「ＮＯ」）、Ｓ３０７に移行して制御部１０２はインデックス画面を表示した状態で、他のモード（電源オフ、記録モード）への切り替え指示が出力されたか否かを判定する。当該切り替え指示が出力された場合（Ｓ３０７で「ＹＥＳ」）、制御部１０２は、再生モードの処理を終了し、指定されたモードに切り替える。一方、モードの切り替え指示が出力されない場合（Ｓ３０７で「ＮＯ」）、Ｓ３０２に戻ってインデックス画面の表示を継続する。
【００４４】
このように、本実施形態では、記録開始の指示があったときに、記録先として選択された記録媒体が、再生対象の記録媒体として予め設定されメモリ１０５内で管理されている。その後に再生モードにおいてインデックス画面の表示指示が出力された場合でも、メモリ１０５内の再生対象の記録媒体に関する情報を参照し、選択された再生対象の記録媒体のインデックス画面を最初に表示できる。即ち、本実施形態では記録開始時に選択された記録媒体が再生対象となるので、記録開始時と記録停止時とで記録先の記録媒体とが異なっていた場合、即ちリレー記録が行われた場合でも、直前の記録開始時の記録媒体を選択してシーンの先頭から簡単に再生を行える。  例えば図４に示す様に、記録開始の指示により、記録媒体１０８に対してファイル４０４の記録開始後、リレー記録機能により、記録媒体４０５に対してファイル４０５が記録され、記録が停止された場合でも、記録媒体１０８が再生対象として選択される。
【００４５】
そのため、ファイル４０５の記録を停止した後、再生モードに切り替えた場合、記録媒体１０８のインデックス画面が表示される。そのため、ユーザは、リレー記録機能により二つの記録媒体にまたがって一つのシーンを記録した場合であっても、簡単に、シーンの先頭からの動画を再生させることが可能となる。
【００４６】
なお、ファイル４０５の記録を停止した後、再生モードに切り替えた場合、インデックス画面においては、ファイル４０４の代表画像をカーソル５０５により選択しておくことが望ましい。こうすることで、ユーザは、操作部１０３により代表画像を選択する操作を行うことなく、簡単にリレー記録により記録されたシーンの先頭から動画を再生させることが可能となる。
【００４７】
なお、リレー記録による記録停止後の記録待機状態において、再度、記録開始の指示があった場合、制御部１０２は、その時点で記録先として選択されている記録媒体を、再生対象とするように、図６のテーブルを更新する。
【００４８】
そのため、記録開始後、リレー記録を行わずに記録が停止された場合には、再生対象の記録媒体が記録先の記録媒体となる。そのため、その後、再生モードに切り替えた時に表示されるインデックス画面は、記録先の記録媒体のインデックス画面となる。
【００４９】
また、制御部１０２は、記録再生装置１００の電源がオフになった場合、図６の記録先の記録媒体の情報を電源オフ状態においても保持しておく。そして、次に電源が投入された場合に、保持されていた情報に基づいて、再生対象の記録媒体を、記録先の記録媒体に設定する。
【００５０】
そのため、電源オンの後、１回も動画が記録されない状態で再生モードに切り替えられた場合には、記録先の記録媒体のインデックス画面が表示される。
【００５１】
なお、本実施形態では、二つの記録媒体に動画を記録再生する構成について説明したが、三つ以上の複数の記録媒体に動画を記録再生する構成にも本発明を同様に適用することができる。
【００５２】
例えば、第１から第３の三つの記録媒体に動画を記録再生する構成では、一つのシーンの動画を第１の記録媒体、第２の記録媒体、第３の記録媒体の順で、三つの記録媒体にまたがってリレー記録することも可能である。この様な場合でも、図６に示すように記録先と再生対象の記録媒体を独立に管理しているので、仮にリレー記録の停止時の記録先が第３の記録媒体であったとしても、再生対象の記録媒体には、記録開始時の記録先である第１の記録媒体が設定されている。そのため、再生モードに切り替えられた場合は、第１の記録媒体のインデックス画面が表示部１１０に表示される。  （第２の実施形態）
次に、第２の実施形態を説明する。第２の実施形態では、第１の実施形態に加え、インデックス画面が非表示の状態において再生指示が出力された場合に、直前に記録された動画データを先頭から再生する機能を持つ。以下、この機能を「記録レビュー機能」と呼ぶ。
【００５３】
図２のＳ２０１で記録待機状態となった後、記録開始の指示が出力されるまでの間に再生指示が操作部１０３より出力された場合、制御部１０２は、再生対象の記録媒体に記録された動画データのうち、最後に記録された動画データを検出する。そして、制御部１０２は、記録再生部１０６に対し、この最後に記録された動画データを先頭から再生するように指示する。記録再生部１０６は、指定された動画データを再生する。そして、信号処理部１０４は、再生された動画データを復号し、表示部１１０に表示する。また、再生停止の指示が出力されるか、或いは、動画データの最後まで再生した場合、制御部１０２は、記録再生装置１００を記録待機状態に設定し、入力部１０１より得られた動画信号を、再び表示部１１０に表示する。
【００５４】
例えば、図４に示す様に、記録開始の指示により、記録媒体１０８に対してファイル４０４の記録開始後、リレー記録機能により、記録媒体１０９に対してファイル４０５が記録され、記録が停止された場合は、記録媒体１０８が再生対象として選択される。そのため、ファイル４０５の記録を停止した後、記録待機状態で再生指示が出力された場合、ファイル４０４が先頭から再生される。
【００５５】
なお、インデックス画面が非表示の状態には、電源オフでスタンバイ状態になっている場合を含むことができる。この場合、表示画面５０１には表示が行われていないが、再生指示に応じて直前に記録された動画データを先頭から再生してもよい。
【００５６】
このようにユーザは、リレー記録機能により二つの記録媒体にまたがって一つのシーンを記録した場合であっても、簡単に、シーンの先頭からの動画を、再生モードに切り替えること無く確認することが可能となる。
（第３の実施形態）
次に、第３の実施形態を説明する。リレー記録による動画の記録後、記録待機状態において、再生対象の記録媒体が記録再生装置１００から取り外されることも考えられる。この様な場合、本実施形態では、再生対象の記録媒体を、記録先として選択されている記録媒体に変更する。
【００５７】
図７を参照しながら本実施形態における動作を説明する。図７は、記録媒体の変更手順の一例を示すフローチャートである。なお、図７に示す各処理は、制御部１０２の制御に基づいて行われる。該フローチャートに対応する処理は、例えば、制御部１０２として機能するＣＰＵ又はプロセッサが対応するプログラム（例えば、メモリ１０５に格納）を実行することにより実現できる。
【００５８】
Ｓ７０１では、記録再生装置１００は記録待機状態にある。但し、この記録待機状態は、図４に示すような記録媒体１０８から１０９へのリレー記録後である点に特徴がある。従って、図６（Ｂ）に示すように、このときの記録先の記録媒体は記録媒体１０９であるが、再生対象の記録媒体は記録媒体１０８である。制御部１０２は、Ｓ７０２において、記録再生部１０６で検出された記録媒体の状態に基づき記録媒体の取り外しが行われたか否かを判定する。もし、記録媒体の取り外しが検知された場合（Ｓ７０２で「ＹＥＳ」）、Ｓ７０３で取り外された記録媒体が、再生対象又は記録先のいずれかの記録媒体であるか否かを判定する。当該判定においては、その時点におけるテーブル６００の内容を参照して判断する。
【００５９】
もし、取り外された記録媒体が再生対象であった場合、Ｓ７０４に移行し、テーブル６００の再生対象の記録媒体６０２の内容を変更する。図１の構成において記録媒体１０８が記録再生装置１００から取り外された場合、制御部１０２は、再生対象の記録媒体を記録媒体１０９に変更する。また、取り外された記録媒体が記録先であった場合、Ｓ７０５に移行し、テーブル６００の記録先の記録媒体６０１の内容を変更する。図１の構成において記録媒体１０９が記録再生装置１００から取り外された場合、制御部１０２は、再生対象の記録媒体を記録媒体１０８に変更する。但し、このときの記録媒体１０８は容量が不足するので、併せてエラー通知を行っても良い。また、他に容量に余裕のある記録媒体が存在する場合は、そちらの記録媒体を記録先としても良い。
【００６０】
その他の動作は第１の実施形態と同様であるので、説明は省略する。  （本発明に係る他の実施形態）
前述した本発明の実施形態における記録装置を構成する各手段、並びに記録方法の各工程は、コンピュータのＲＡＭやＲＯＭなどに記憶されたプログラムが動作することによって実現できる。このプログラム及び前記プログラムを記憶したコンピュータ読み取り可能な記憶媒体は本発明に含まれる。
【００６１】
また、本発明は、例えば、システム、装置、方法、プログラムもしくは記憶媒体等としての実施形態も可能であり、具体的には、複数の機器から構成されるシステムに適用してもよいし、また、一つの機器からなる装置に適用してもよい。
【００６２】
なお、本発明は、前述した実施形態の機能を実現するソフトウェアのプログラム（実施形態では図２、図３及び図７に示すフローチャートに対応したプログラム）を、システムまたは装置に直接、または遠隔から供給する場合も含む。そして、そのシステムまたは装置のコンピュータが前記供給されたプログラムコードを読み出して実行することによっても達成される場合を含む。
【００６３】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００６４】
その場合、プログラムの機能を有していれば、オブジェクトコード、インタプリタにより実行されるプログラム、ＯＳに供給するスクリプトデータ等の形態であってもよい。
【００６５】
プログラムを供給するための記憶媒体としては、例えば、フレキシブルディスク、ハードディスク、光ディスク、光磁気ディスクなどがある。さらに、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などもある。
【００６６】
その他、プログラムの供給方法としては、クライアントコンピュータのブラウザを用いてインターネットのホームページに接続する方法がある。そして、前記ホームページから本発明のコンピュータプログラムそのもの、もしくは圧縮され自動インストール機能を含むファイルをハードディスク等の記憶媒体にダウンロードすることによっても供給できる。
【００６７】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００６８】
また、その他の方法として、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００６９】
また、コンピュータが、読み出したプログラムを実行することによって、前述した実施形態の機能が実現される。さらに、そのプログラムの指示に基づき、コンピュータ上で稼動しているＯＳなどが、実際の処理の一部または全部を行い、その処理によっても前述した実施形態の機能が実現され得る。
【００７０】
さらに、その他の方法として、まず記憶媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵなどが実際の処理の一部または全部を行い、その処理によっても前述した実施形態の機能が実現される。
【図１】
2014096731.tif 000003
【図２】
2014096731.tif 000004
【図３】
2014096731.tif 000005
【図４】
2014096731.tif 000006
【図５】
2014096731.tif 000007
【図６】
2014096731.tif 000008
【図７】
2014096731.tif 000009